(57)【要約】【課題】ドレン皿に溜まった水および該水が蒸発または乾燥することで発生する白粉片の室内への飛散を抑制可能な空調換気装置を得ること。【解決手段】室外空気を吸込み、熱交換器の給気通路を通して室内側吹出口から室内に給気する給気路と、室内空気を吸込み、熱交換器の排気通路を通して室外側吹出口から室外に排気する排気路とが内部に形成されたケーシングと、給気路を通過する給気流を加熱または冷却する空調コイルと、空調コイルの下流に設けられて、空調コイルを通過した給気流を加湿する加湿器８と、空調コイルと加湿器８とを下方から覆うドレン皿２６と、を備え、ドレン皿２６には、ドレン皿２６の底面から離間した状態でドレン皿２６における内側面２６ｃからドレン皿２６における内側方向に向かって張り出してドレン皿２６の底面を覆い、ドレン皿２６内を通る空気流の内側面２６ｃに沿った吹き上がりを抑制する飛散抑制板３６を備える。【選択図】図５
2016023855.tif 000002
【特許請求の範囲】
【請求項１】
給気送風機により室外側吸込口から室外空気を吸込み、熱交換器の給気通路を通して室内側吹出口から室内に給気する給気路と、排気送風機により室内側吸込口から室内空気を吸込み、前記熱交換器の排気通路を通して室外側吹出口から室外に排気する排気路と、が内部に形成されたケーシングと、
前記給気路を通過する給気流を加熱または冷却する空調コイルと、
前記空調コイルの下流に設けられて、前記空調コイルを通過した前記給気流を加湿する加湿器と、
前記空調コイルと前記加湿器とを下方から覆うドレン皿と、
を備え、
前記ドレン皿には、前記ドレン皿の底面から離間した状態で前記ドレン皿における内側面から前記ドレン皿における内側方向に向かって張り出して前記ドレン皿の底面を覆い、前記ドレン皿内を通る空気流の前記内側面に沿った吹き上がりを抑制する抑制部を備えること、
を特徴とする空調換気装置。
【請求項２】
前記ドレン皿における前記加湿器の下流の内側面には、前記加湿器を通過した前記給気流が前記ドレン皿から吹き出る排出口が形成され、
前記抑制部は、前記排出口よりも低い位置において少なくとも前記ドレン皿における前記加湿器の下流の内側面から前記加湿器側に向かって張り出していること、
を特徴とする請求項１に記載の空調換気装置。
【請求項３】
前記ドレン皿には、前記加湿器における前記給気流の通風面に沿って前記ドレン皿内の底面に設けられて前記加湿器を下方から支持する複数のコイル用凸部がライン状に形成され、
前記抑制部は、前記複数のコイル用凸部のうち前記加湿器での前記給気流の通過方向の下流に設けられた下流側コイル用凸部における前記加湿器よりも下流側の領域に接続して、前記加湿器での前記給気流の通過方向において前記下流側コイル用凸部よりも下流側の前記ドレン皿の底面を覆うこと、
を特徴とする請求項２に記載の空調換気装置。
【請求項４】
前記抑制部は、前記下流側コイル用凸部よりも下流側の前記ドレン皿の底面を、前記下流側コイル用凸部の延在方向の全幅において覆うこと、
を特徴とする請求項３に記載の空調換気装置。
【請求項５】
前記抑制部は、前記抑制部を厚み方向に貫通する開口孔を備えること、
を特徴とする請求項１から４のいずれか１つに記載の空調換気装置。
【請求項６】
前記抑制部は、平板状の部材の一端側の外縁領域が前記ドレン皿における前記加湿器の下流の内側面と密着するとともに前記平板状の部材の他端側の外縁領域が前記下流側コイル用凸部における前記加湿器よりも下流側の領域に密着して構成されること、
を特徴とする請求項３から５のいずれか１つに記載の空調換気装置。
【請求項７】
前記加湿器は、滴下気化式の加湿器であること、
を特徴とする請求項１から６のいずれか１つに記載の空調換気装置。
【請求項８】
前記加湿器の下流における前記加湿器での前記給気流の通風面に隣接する位置に、前記加湿器から前記加湿器の下流に飛散した水滴を捕集する平板状の除滴板を前記給気流の通風面に沿って備えること、
を特徴とする請求項７に記載の空調換気装置。
【請求項９】
前記除滴板が、前記下流側コイル用凸部に密着した前記抑制部上に載置され、
前記抑制部は、前記除滴板の重量によって前記下流側コイル用凸部上に固定されること、
を特徴とする請求項８に記載の空調換気装置。
【請求項１０】
前記除滴板が、前記加湿器での前記給気流の通風面に沿った面方向において前記加湿器での前記給気流の通風面を包含して配置される第１除滴板からなり、
前記抑制部が、前記除滴板と同じ構造を有して前記下流側コイル用凸部よりも下流側の前記ドレン皿の底面を覆う第２除滴板からなり、
前記第１除滴板と前記第２除滴板とが、前記下流側コイル用凸部の延在方向に垂直な面における断面形状をＬ字形状に保持可能な連結部材により連結されていること、
を特徴とする請求項８または９に記載の空調換気装置。
【発明の詳細な説明】
【技術分野】
【０００１】
本発明は、空調換気装置に関し、特に熱交換器による熱交換後の給気流を加湿する空調換気装置に関する。
【背景技術】
【０００２】
室内の空調換気を行う空調換気装置には、空気対空気での熱交換を行う熱交換器、空気の冷却または加熱を行う空調コイル、空気を加湿する加湿器を備えるものがある。このような空調換気装置では、同時給排気による給気流と排気流との間で熱交換器によって熱交換を行わせ、熱交換後の給気流を空調コイルで加熱または冷却し、さらに加湿器で給気流を加湿することが行われる。
【０００３】
上述したように給気流に対して空調コイルで冷却または加熱を行い、さらに該給気流に対して加湿器で加湿を行い、換気と同時に除湿および加湿を行う空調換気装置では、一般的に空調コイルおよび加湿器の下にドレン皿と呼ばれる受水皿が設けられる。ドレン皿は、空調コイルで空気を除湿する際に発生する結露水、および加湿器で空気を加湿した後に該加湿器に溜まっている水を受水する。このような水はドレン水と呼ばれる。
【０００４】
空調コイルで発生するドレン水の成分には硬度成分は含まれていない。したがって、空調コイルで発生したドレン水が乾燥しても、硬度成分が乾燥した白粉片の発生には至らない。しかし、加湿器への供給水には水道水が用いられる場合が多く、水道水には硬度成分が含まれている。硬度成分とは、水の中に含まれるカルシウム成分およびマグネシウム成分である。硬度成分が含まれているドレン水が乾燥すると、ドレン皿の表面に白粉片が発生する。
【０００５】
加湿器としては、滴下気化式の加湿器が用いられる場合がある。滴下気化式の加湿器は、上部からの滴下水で水分を含む性質を有する加湿材を濡らし、該加湿材に含まれた水を給気流によって蒸発させることにより加湿する。したがって、滴下気化式の加湿器による加湿時には、常時、ドレン皿内に水が落ちることは公知である。
【０００６】
また、加湿器としては、透湿膜式の加湿器が用いられる場合がある。透湿膜式の加湿器を用いる場合には、何らかの要因で加湿器または該加湿器への給水用の配管もしくはバルブから漏水した水は、ドレン皿に落ちる。また、透湿膜式の加湿器を用いる場合には、透湿膜内の目詰まりを抑制する目的で、硬度成分を含んだ水を加湿運転の停止時にドレン皿に排水させる場合がある。
【０００７】
一般的なドレン皿は、上部が開放されている構造を有するものが多い。ドレン皿内に溜まった水が何らかの異常で排水しきれずにドレン皿内に残ることがある。この場合には、給気流がドレン皿内に吹き込んで該給気流によってドレン皿内の水が乾燥され、または空調コイルの加熱によってドレン皿内の水が乾燥されると、ドレン皿の表面に水道水に含まれる硬度成分が白く析出して白粉片が発生する。該白粉片は、ドレン皿内に吹き込んだ給気流によって巻き上げられて、ドレン皿の立ち上がり部、すなわち側面に設けられた室内吹出口から室内へ飛散する可能性があった。また、ドレン皿の底面に沿って給気流が流れることで、ドレン皿内に溜まった水自体がドレン皿の立ち上がり部、すなわち側面に設けられた室内吹出口から室内へ飛散する可能性があった。
【０００８】
そこで、たとえば特許文献１には、ドレン皿の底面とほぼ同じ面積を有してドレン皿内への通気流の吹き込みを抑制する吹き込み抑制板がドレン皿の立ち上がり面と吹き込み抑制板間に溝を設けた状態で配置された加湿ユニットが開示されている。特許文献１の加湿ユニットによれば、ドレン皿内の水および該水に浮遊するゴミが通気流によって巻き上げられて外部に飛散することが防止できる、とされている。
【先行技術文献】
【特許文献】
【０００９】
【特許文献１】特開平１１−３０４２０２号公報
【発明の概要】
【発明が解決しようとする課題】
【００１０】
しかしながら、特許文献１の加湿ユニットでは、ドレン皿の立ち上がり面と吹き込み抑制板間にドレン皿の内側面に沿って環状の溝が形成されている。このため、ドレン皿に溜まった加湿エレメントの水もしくは給水系の異常時に発生する水、該水が蒸発または乾燥することで発生する白粉片、またはドレン皿に落ちたゴミが、ドレン皿内の通気流によって巻き上げられて溝から排出され、室内吹出口から室内に飛散する、という問題があった。
【００１１】
本発明は、上記に鑑みてなされたものであって、ドレン皿に溜まった水の室内への飛散、および該水が蒸発または乾燥することで発生する白粉片の室内への飛散を抑制可能な空調換気装置を得ることを目的とする。
【課題を解決するための手段】
【００１２】
上述した課題を解決し、目的を達成するために、本発明にかかる空調換気装置は、給気送風機により室外側吸込口から室外空気を吸込み、熱交換器の給気通路を通して室内側吹出口から室内に給気する給気路と、排気送風機により室内側吸込口から室内空気を吸込み、前記熱交換器の排気通路を通して室外側吹出口から室外に排気する排気路と、が内部に形成されたケーシングと、前記給気路を通過する給気流を加熱または冷却する空調コイルと、前記空調コイルの下流に設けられて、前記空調コイルを通過した前記給気流を加湿する加湿器と、前記空調コイルと前記加湿器とを下方から覆うドレン皿と、を備え、前記ドレン皿には、前記ドレン皿の底面から離間した状態で前記ドレン皿における内側面から前記ドレン皿における内側方向に向かって張り出して前記ドレン皿の底面を覆い、前記ドレン皿内を通る空気流の前記内側面に沿った吹き上がりを抑制する抑制部を備えること、を特徴とする。
【発明の効果】
【００１３】
本発明によれば、ドレン皿に溜まった水の室内への飛散、および該水が蒸発または乾燥することで発生する白粉片の室内への飛散を抑制できる、という効果を奏する。
【図面の簡単な説明】
【００１４】
【図１】本発明の実施の形態１にかかる空調換気装置の内部構成の概略を示す平面構成図
【図２】本発明の実施の形態１にかかる空調換気装置の内部構成の概略を示す側面構成図
【図３】本発明の実施の形態１にかかる空調換気装置の加湿風路部の斜視図
【図４】本発明の実施の形態１にかかる空調換気装置の加湿風路部を構成する加湿風路下部の斜視図
【図５】本発明の実施の形態１にかかる空調換気装置の加湿風路部の要部断面図
【図６】本発明の実施の形態１にかかる飛散抑制板の一例を示す斜視図
【図７】本発明の実施の形態２にかかる空調換気装置の内部構成の概略を示す平面構成図
【図８】本発明の実施の形態２にかかる空調換気装置の内部構成の概略を示す側面構成図
【図９】本発明の実施の形態２にかかる空調換気装置の加湿風路部の要部断面図
【図１０】本発明の実施の形態２にかかる他の空調換気装置の加湿風路部の要部断面図
【図１１】本発明の実施の形態２にかかる他の空調換気装置の加湿風路部における飛散抑制板の取り付け部の拡大図
【図１２】本発明の実施の形態２にかかる飛散抑制板を示す斜視図
【図１３】本発明の実施の形態２にかかる飛散抑制板にパッキン材が取り付けられた状態を示す斜視図
【図１４】本発明の実施の形態３にかかる飛散抑制部を示す斜視図
【図１５】本発明の実施の形態３にかかる飛散抑制部が開かれた状態を示す側面図
【図１６】本発明の実施の形態３にかかる飛散抑制部が折りたたまれた状態を示す側面図
【図１７】本発明の実施の形態３にかかる空調換気装置の加湿風路部の要部断面図
【発明を実施するための形態】
【００１５】
以下に、本発明にかかる空調換気装置の実施の形態を図面に基づいて詳細に説明する。なお、本発明は以下の記述に限定されるものではなく、本発明の要旨を逸脱しない範囲において適宜変更可能である。また、以下に示す図面においては、理解の容易のため、各部材の縮尺が実際とは異なる場合がある。各図面間においても同様である。
【００１６】
実施の形態１．
図１は、本発明の実施の形態１にかかる空調換気装置の内部構成の概略を示す平面構成図である。図２は、実施の形態１にかかる空調換気装置の内部構成の概略を示す側面構成図である。
【００１７】
実施の形態１にかかる空調換気装置１００は、装置の箱体を構成するケーシング５を備える。ケーシング５内には、室外側と室内側に各々１組ずつ設けられた吸込口および吹出口である室内側吸込口１０、室内側吹出口１２、室外側吹出口１３、室外側吸込口１４を備える。また、ケーシング５内には、室内側吸込口１０と室外側吹出口１３とを連通させて室内の空気を室外に排気する排気路１８と、室外側吸込口１４と室内側吹出口１２とを連通させて室外の空気を室内に給気する給気路１９とが形成される。
【００１８】
排気路１８と給気路１９とは、全経路にわたり互いに独立して設けられ、排気路１８と給気路１９との間には熱交換器３が設けられる。熱交換器３は、排気路１８を通過する室内空気である排気流と、給気路１９を通過する室外空気である給気流との間で、連続的に熱交換を行わせるものである。熱交換器３は、ケーシング５の側面に設けられたメンテナンスカバー１６を取り外すことで、水平方向に抜き差しできる。熱交換器３は、直列に組込まれた排気通路２２と給気通路２１とがケーシング５の内部において斜めに交差する形態とされる。
【００１９】
排気路１８には、排気送風機１が設けられる。排気路１８を通過する排気流は、室内側吸込口１０からケーシング５内の室内吸込用通路９に流入し、熱交換器３の排気通路２２を通り、排気送風機１を経由して排気用通風路２を通り、室外側吹出口１３から室外側に排出される。また、排気路１８における室内吸込用通路９には、室内空気の温度および湿度を計測する室内温湿度センサ２４が設けられている。
【００２０】
なお、排気路１８には、熱交換器３の排気通路２２を通さずに、室外側に排気流を排出させるためのバイパス風路２０が設けられる。バイパス風路２０は、熱交換器３において、メンテナスカバー１６が設けられたケーシング５の側面から見て奥側に位置する奥側面と、該奥側面に対向するケーシング５の内側面との間に設けられる。また、排気路１８を、熱交換器３の排気通路２２を含む風路と、排気通路２２を含まないバイパス風路２０とに切り替える開閉ダンパー４が設けられている。
【００２１】
図１では、排気路１８が熱交換器３の排気通路２２を含む風路に切り替える状態の開閉ダンパー４を示している。開閉ダンパー４によりバイパス風路２０を開放することで、排気送風機１によって室内空気を熱交換器３に通さずに室外へ排気することができる。これにより、給気流と排気流との間で熱交換を伴わない普通換気を行うことができる。
【００２２】
給気路１９における熱交換器３の下流には、給気送風機６が設けられる。また、給気路１９における給気送風機６の下流であって該給気送風機６と室内側吹出口１２との間では、空調コイル７および加湿器８を備える加湿風路部１１が給気路１９の一部を構成する。給気路１９を通過する給気流は、室外側吸込口１４からケーシング５内の室外吸込用通風路１５に流入し、熱交換器３の給気通路２１を通り、給気通風路１７および給気送風機６を経由して、該給気送風機６の下流側に設けられた空調コイル７および加湿器８を備えた加湿風路部１１を通り、室内側吹出口１２から室内側に吹出される。また、給気路１９における室外吸込用通風路１５には、外気の温度および湿度を計測する外気温湿度センサ２３が設けられている。
【００２３】
空調コイル７は、内部に冷媒を通して、給気路１９を通過する給気流を冷却し、または加熱する。加湿器８は、給気路１９を通過する給気流を加湿する。加湿器８には、滴下気化式の加湿器を用いることができる。滴下気化式の加湿器は、上部からの滴下水で水分を含む性質を有する加湿材を濡らし、該加湿材に含まれた水を給気流によって蒸発させることにより加湿する。したがって、透湿膜方式の加湿器を用いた場合に発生する、透湿膜の目詰まりによる加湿能力の低下という問題が無い。
【００２４】
図３は、実施の形態１にかかる空調換気装置の加湿風路部の斜視図である。図３では、加湿風路部１１内の搭載部品を除いた状態を示しており、また一部を切り欠いて示している。図４は、実施の形態１にかかる空調換気装置の加湿風路部を構成する加湿風路下部の斜視図である。図５は、実施の形態１にかかる空調換気装置の加湿風路部の要部断面図である。加湿風路部１１では、図３に示すように矢印５１に示す向きに給気流が通過する。空調コイル７および加湿器８が配置される加湿風路部１１は、図３における上下方向、すなわちケーシング５内部の給気送風機６の上下方向に分割して配置された加湿風路上部２５と加湿風路下部２６とで構成されている。
【００２５】
加湿風路上部２５は、たとえば発泡樹脂等の樹脂によって構成され、空調コイル７および加湿器８を上側から覆う形に形成されて加湿風路部１１の上側部分を構成する。なお、図５においては、加湿器８の上面と加湿風路上部２５の内上面とが当接した状態を示しているが、加湿器８の上面と加湿風路上部２５の内上面との間に隙間があってもよい。加湿風路下部２６は、発泡樹脂からなり、空調コイル７および加湿器８を搭載する加湿風路部１１の下側部分を構成する。すなわち、加湿風路下部２６は、空調コイル７および加湿器８を下側から覆う。
【００２６】
また、加湿風路下部２６は、ドレン皿の機能を備え、水受け面となる内表面にたとえばプラスチック材などの樹脂材によって構成される樹脂層が同時成形されて、発泡樹脂への浸水を防いだ構造体として形成されている。すなわち、広義の意味で加湿風路下部２６はドレン皿と言える。また、狭義の意味では、ドレン皿は加湿風路下部２６における内面に一体成形された樹脂層である。以下では、広義の意味で加湿風路下部２６をドレン皿２６と呼ぶ場合がある。なお、ドレン皿を加湿風路下部２６とは別に個別に設けてもよい。樹脂層は、発泡樹脂への浸水を防げればよく、厚みは特に限定されない。ただし、コストおよび重量の観点からは、樹脂層の厚みは薄いことが好ましい。
【００２７】
加湿風路上部２５と加湿風路下部２６とは、上下方向で嵌め合い構造となっており、一体となって加湿風路部１１を形成する。また、図２に示すように、加湿風路部１１には、空調コイル７および加湿器８を挿入し、または外部に引き出すためのメンテナンス口２７が形成されている。
【００２８】
ドレン皿２６上には、空調コイル７および加湿器８が給気流の上流側から順に並べて配置される。ドレン皿２６は、図３および図４に示すように、ドレン皿２６の内底面であるドレン皿面２９を構成する加湿風路下部２６の四角形状の底面部の外周部から、前面２６ａ、後面２６ｂ、右側面２６ｃ、左側面２６ｄが垂直に立ち上がって上面が開放された箱形形状を有する。ドレン皿面２９は、ドレン皿２６の内底面であって、空調コイル７および加湿器８からのドレン水を受ける受水面であり、プラスチック材により構成されている。なお、図３において矢印５１で示した、加湿風路部１１において給気流が通過する方向は、前面２６ａおよび後面２６ｂの延在方向に沿った方向であり、加湿風路部１１の上面または下面の面方向において右側面２６ｃおよび左側面２６ｄの延在方向に垂直な方向である。
【００２９】
ドレン皿面２９上には、空調コイル７が搭載されて、該空調コイル７および加湿器８をドレン皿面２９から浮かせて下方から支持するためのコイル用凸部である１本の空調コイル搭載レール部３０が形成されている。また、ドレン皿面２９上には、加湿器８が搭載されて、該加湿器８をドレン皿面２９から浮かせて下方から支持するための加湿器用凸部である２本の加湿器搭載レール部３１である加湿器搭載レール部３１Ａおよび加湿器搭載レール部３１Ｂが形成されている。そして、空調コイル搭載レール部３０および加湿器搭載レール部３１は、後面２６ｂおよび左側面２６ｄの延在方向に平行な方向に延伸して、右側面２６ｃ側から加湿器搭載レール部３１Ａ、加湿器搭載レール部３１Ｂ、空調コイル搭載レール部３０の順で形成されている。すなわち、加湿器搭載レール部３１Ａ、加湿器搭載レール部３１Ｂ、空調コイル搭載レール部３０は、加湿器８における給気流の通風面に沿ってドレン皿面２９上に設けられている。
【００３０】
すなわち、空調コイル７は、空調コイル搭載レール部３０の上に、後面２６ｂおよび左側面２６ｄの延在方向に沿って搭載される。加湿器８は、２本の加湿器搭載レール部３１上に、後面２６ｂおよび左側面２６ｄの延在方向に沿って搭載される。加湿器搭載レール部３１Ａと加湿器搭載レール部３１Ｂとにおける互いに対向する側面の上部には、各々の上面よりも低い位置に該加湿器搭載レール部３１Ａと加湿器搭載レール部３１Ｂとの延在方向に沿って段差が設けられ、該段差の上面３１ａ上に加湿器８が搭載される。空調コイル搭載レール部３０および加湿器搭載レール部３１は、空調コイル７または加湿器８をドレン皿面２９から浮かせることで、ドレン皿面２９に溜まった水に空調コイル７または加湿器８が水没することを防ぐ。
【００３１】
ドレン皿２６において前面２６ａと左側面２６ｄとが交わる角部は、外側の下部が凹状とされて、ドレン皿排水口４４が設けられる。これにより、ドレン皿２６に回収された水は、ドレン皿排水口４４を通って排水溝２８から排水される。
【００３２】
ドレン水を受けるドレン皿面２９には、ドレン皿排水口４４に集水できるように、図４の矢印５２および矢印５３に示す方向に低くなる傾斜を設けられている。矢印５２は、右側面２６ｃおよび左側面２６ｄの延在方向に沿った方向である。矢印５３は、前面２６ａおよび後面２６ｂに沿った方向である。さらに集水したドレン水が広がり難くなるようにドレン皿面２９の他の領域よりも低くドレン皿面２９における最底面となる落とし込み部４８が設けられる。ドレン皿排水口４４は、落とし込み部４８に連通して設けられる。
【００３３】
加湿器８に用いられる滴下気化式の加湿器は、上述したように上部からの滴下水で加湿材を濡らして、給気路１９を通過する給気流を加湿する。このとき、フィルター部における余剰水はフィルター部の汚れなどを含みながらドレン皿２６に排水される。
【００３４】
また、右側面２６ｃと対向してドレン皿面２９に形成された加湿器搭載レール部３１Ａと、右側面２６ｃとの間のドレン皿面２９は、加湿器搭載レール部３１Ａと右側面２６ｃとに挟まれることにより凹部であるドレン皿面凹部４５とされている。該ドレン皿面凹部４５も、底面が後面２６ｂから前面２６ａに向かって下り勾配となる勾配が設けられている。これにより、ドレン皿面凹部４５に滴下した水を落とし込み部４８に確実に流すことができる。
【００３５】
そして、ドレン皿面凹部４５の全領域を覆うように、右側面２６ｃと対向する加湿器搭載レール部３１Ａと、右側面２６ｃの内壁との間を覆って飛散抑制板３６が配置されている。そして、飛散抑制板３６は、加湿風路部１１において給気流が通過する方向において加湿器搭載レール部３１Ａよりも下流側のドレン皿面２９を、加湿器搭載レール部３１Ａの延在方向の全幅において覆っている。図６は、実施の形態１にかかる飛散抑制板の一例を示す斜視図である。飛散抑制板３６は、長手方向に沿ってライン状に延在する折り曲げ部３６ｄにより、相対的な位置が低い平面部である低位領域３６ａと、相対的な位置が高い平面部である高位領域３６ｂとに区分けされている。高位領域３６ｂの端部の長辺には、該長辺の延伸方向に沿って立ち上がり部３６ｃが設けられており、該長辺の延伸方向に垂直な断面がＬ字形状とされている。
【００３６】
図５に示すように、右側面２６ｃと対向する加湿器搭載レール部３１Ａにおける右側面２６ｃ側の上部には、該加湿器搭載レール部３１Ａの上面よりも低い位置に、該加湿器搭載レール部３１Ａの延在方向に沿って段差が形成されている。そして、該段差の上面３１ｂ上に、飛散抑制板３６の一端側の外縁領域、すなわち高位領域３６ｂが載置される。
【００３７】
また、図５に示すように、加湿器８を通過した給気流が加湿風路部１１から吹き出るドレン皿室内吹出口部３３が形成された右側面２６ｃの内壁は、ドレン皿２６の内側に向かって低くなる傾斜面とされている。該傾斜面には、ドレン皿室内吹出口部３３よりも低い位置に、加湿器搭載レール部３１Ａの延在方向に沿って段差３４が形成されている。そして、該段差の上面３４ａ上に、飛散抑制板３６の他端側の外縁領域、すなわち低位領域３６ａにおける長辺に沿った外縁領域が載置される。右側面２６ｃの内壁は、該右側面２６ｃの延在方向の全幅において飛散抑制板３６の他端側の外縁領域と密着しており、飛散抑制板３６と右側面２６ｃの内壁との間には隙間がない状態とされている。すなわち、飛散抑制板３６は、ドレン皿２６の底面から離間した状態でドレン皿２６における右側面２６ｃからドレン皿２６における内側方向に向かって張り出してドレン皿面２９を覆っている。
【００３８】
右側面２６ｃの内壁である傾斜面における段差の上面３４ａから上方の位置には、耐水性が良好なパッキン材からなり飛散抑制板３６を固定する固定部材３７が接着材により貼り付けられている。飛散抑制板３６の他端側の外縁領域、すなわち低位領域３６ａにおける長辺に沿った外縁領域は、傾斜面における段差の上面３４ａと、固定部材３７とにより挟み込まれて固定されている。これにより、飛散抑制板３６と右側面２６ｃの内壁とを容易にかつ確実に密着させることができる。
【００３９】
このように、ドレン皿室内吹出口部３３よりも低い位置でドレン皿面凹部４５を覆う飛散抑制板３６が、ドレン皿２６におけるドレン皿室内吹出口部３３が設けられた立ち上がり部である右側面２６ｃの内壁に密着させて取り付けられることで、ドレン皿２６内に流れる空気流である給気流が右側面２６ｃに沿って上方に吹き上がることを抑制できる。これにより、ドレン皿２６内に溜まった空調コイル７と加湿器８とからのドレン水自体、および硬度成分を含むドレン水が蒸発もしくは乾燥してドレン皿面２９に析出した硬度成分による白粉片がドレン皿２６内に流れる給気流によって巻き上げられ、ドレン皿室内吹出口部３３から室内へ飛散することを防止することができる。すなわち、飛散抑制板３６は、ドレン皿２６内を通る給気流の、ドレン皿２６の内側面に沿った吹き上がりを抑制する抑制部である。
【００４０】
なお、飛散抑制板３６は、加湿風路部１１において給気流が通過する方向において加湿器搭載レール部３１Ａよりも下流側のドレン皿面２９を、加湿器搭載レール部３１Ａの延在方向の全幅において覆っている。したがって、上記効果は、加湿器搭載レール部３１Ａよりも下流側のドレン皿面２９の領域全体で得られる。
【００４１】
また、飛散抑制板３６がドレン皿面凹部４５の一部の領域を覆った場合でも上述した効果が得られるが、飛散抑制板３６の効果をより確実に得るためには、上述したように飛散抑制板３６がドレン皿面凹部４５の全領域を覆うように配置されることが好ましい。そして、飛散抑制板３６が、加湿風路部１１において給気流が通過する方向において加湿器搭載レール部３１Ａよりも下流側のドレン皿面２９を、加湿器搭載レール部３１Ａの延在方向の全幅において覆うことがより好ましい。
【００４２】
また、ドレン皿２６における前面２６ａ、後面２６ｂまたは左側面２６ｄにおいても、各面の内壁に飛散抑制板３６が密着して取り付けられることで、ドレン皿２６内に流れる空気流である給気流が前面２６ａ、後面２６ｂまたは左側面２６ｄに沿って上方に吹き上がることを抑制できる。これにより、ドレン皿２６内に溜まった空調コイル７と加湿器８とからのドレン水自体、および硬度成分を含むドレン水が蒸発もしくは乾燥してドレン皿面２９に析出した硬度成分による白粉片がドレン皿２６内に流れる給気流によって巻き上げられ、ドレン皿室内吹出口部３３から室内へ飛散することを防止することができる。
【００４３】
また、飛散抑制板３６の他端側の外縁領域、すなわち低位領域３６ａにおける長辺に沿った外縁領域を、固定部材３７と右側面２６ｃの内壁である傾斜面における段差の上面３４ａとで挟み込んで固定することで、ドレン皿２６内を流れる給気流によって飛散抑制板３６自体が吹き上がり、ドレン皿面凹部４５の真上位置から外れて、ドレン皿２６内に溜まったドレン水および白粉片が室内へ飛散することを防止できる。
【００４４】
飛散抑制板３６の取り付け位置は、飛散抑制板３６における高位領域３６ｂの下面と、加湿器搭載レール部３１Ａにおける段差の上面３１ｂとを面合わせすることにより、容易に位置決めできる。固定部材３７は、飛散抑制板３６が、加湿器搭載レール部３１Ａにおける段差の上面３１ｂ上と、右側面２６ｃの内壁の傾斜面における段差の上面３４ａ上に掛け渡されて載置された後に貼り付けられればよい。
【００４５】
このように、ドレン皿２６においてドレン皿室内吹出口部３３が設けられた立ち上がり部である右側面２６ｃの内壁に、飛散抑制板３６の端辺を乗せられる段差を形成する。そして、該段差を目印にして耐水性のある固定部材３７を右側面２６ｃの内壁に貼り付け、飛散抑制板３６の端辺を挟み込んで固定することにより、飛散抑制板３６の取り付けにネジ締めによる固定および専用工具を必要としない。また、飛散抑制板３６を取り付ける際の飛散抑制板３６の位置決めが容易であり、短時間で飛散抑制板３６を取り付けることができる。
【００４６】
また、ネジ固定を行わずに固定部材３７を用いて飛散抑制板３６を固定することにより、建築物衛生法で義務付けされている定期的なドレン皿の点検または清掃を行う場合において、専用工具を使わなくでも容易に飛散抑制板３６の取り付けおよび取り外しができ、飛散抑制板３６をネジで固定する場合に比べてメンテナンス時間を短縮することができる。したがって、ドレン皿２６を清掃する際も、ドレン皿２６内に手を入れ易くなりドレン皿２６の表面の点検および清掃を確実に行うことができる。
【００４７】
また、図６に示すように、飛散抑制板３６の平面部である低位領域３６ａには、飛散抑制板３６を厚み方向に貫通する複数の開口孔３８が、飛散抑制板３６の長手方向に沿って設けられている。開口孔３８は、加湿器８から飛散抑制板３６上に飛散した水滴をドレン皿２６のドレン皿面凹部４５に回収するために設けられる。低位領域３６ａの表面における開口孔３８の開口形状は、円形が例示される。また、飛散抑制板３６上の水を開口孔３８に向かって集水しやすいように、開口孔３８の周辺領域は該開口孔３８に向かって低くなる凹部状に絞った絞り形状となっている。
【００４８】
開口孔３８を設けることにより、飛散抑制板３６を介して区画される飛散抑制板３６よりも上部の空間、すなわちドレン皿面凹部４５と飛散抑制板３６に挟まれた空間と、飛散抑制板３６の情報に開放された空間とが連通される。これにより、加湿器８から飛散抑制板３６に上に飛散した水滴をドレン皿２６のドレン皿面凹部４５に回収できるため、飛散抑制板３６上の水滴が室内へ飛散することを防止することができる。
【００４９】
上述したように、実施の形態１によれば、飛散抑制板３６を設けることにより、ドレン皿２６内に溜まった水およびドレン皿２６に析出した硬質成分の白粉片がドレン皿２６内に流れる給気流で巻き上げられて室内へ飛散することを防止するとともに、ドレン皿２６の清掃性を損なわない空調換気装置１００が実現できる。
【００５０】
実施の形態２．
図７は、本発明の実施の形態２にかかる空調換気装置の内部構成の概略を示す平面構成図である。図８は、実施の形態２にかかる空調換気装置の内部構成の概略を示す側面構成図である。図９は、実施の形態２にかかる空調換気装置の加湿風路部の要部断面図である。実施の形態２にかかる空調換気装置の基本的な構造は、実施の形態１にかかる空調換気装置１００と同じである。実施の形態２にかかる空調換気装置は、エリミネーター３５を備える点が実施の形態１にかかる空調換気装置１００と異なる。エリミネーターは、空気の流れに随伴する水滴の飛散を防ぐ除滴板である。
【００５１】
図７および図８に示すように、実施の形態２にかかる空調換気装置では、給気路１９における加湿器８の下流に平板状のエリミネーター３５が配置されている。エリミネーター３５は、加湿器８における下流側の通風面に隣接して配置されている。加湿器８の下流に該加湿器８と隣接してエリミネーター３５を配置することにより、該加湿器８から下流側へ飛散した水滴を捕集することができ、加湿器８から飛散した水滴が室内へ飛散することを防止できる。
【００５２】
また、エリミネーター３５は、加湿器８の通風面の面積以上の面積を有し、加湿風路部１１に配置された際に加湿器８の通風面と平行な面方向において加湿器８の通風面の全ての領域と重複することが好ましい。これにより、加湿器８から下流側へ飛散した水滴を確実に捕集することができ、加湿器８から飛散した水滴が室内へ飛散することを防止できる。
【００５３】
加湿器搭載レール部３１Ａにおける加湿器８側には、滴下気化式の加湿器８が載置される段差の上面３１ａ上によりも高い位置であって該加湿器搭載レール部３１Ａの上面よりも低い位置に他の段差が設けられ、該他の段差の上面３１ｃ上にエリミネーター３５が載置されている。また、加湿風路上部２５の内上面には、加湿器搭載レール部３１Ａの延在方向に沿って凹部２５ａが設けられ、該凹部２５ａにエリミネーター３５の上端部が収納される。これにより、加湿風路部１１の給気路１９を流れる給気流によってエリミネーター３５がドレン皿２６の右側面２６ｃまで移動することが防止される。
【００５４】
図１０は、実施の形態２にかかる他の空調換気装置の加湿風路部の要部断面図である。図１１は、実施の形態２にかかる他の空調換気装置の加湿風路部における飛散抑制板の取り付け部の拡大図である。図１２は、実施の形態２にかかる飛散抑制板を示す斜視図である。図１３は、実施の形態２にかかる飛散抑制板にパッキン材が取り付けられた状態を示す斜視図である。図１０および図１１に示す実施の形態２にかかる他の空調換気装置は、エリミネーター３５の取り付け構造が図７および図８に示す空調換気装置と異なる。
【００５５】
図１２に示すように、実施の形態２にかかる飛散抑制板３６Ａは、平板状の形状を有し、加湿器８側に配置される端部の長辺には、該長辺の延伸方向に沿って立ち上がり部３６ｃが設けられており、該長辺の延伸方向に垂直な断面がＬ字形状とされている。
【００５６】
また、立ち上がり部３６ｃに隣接する領域であってエリミネーター３５が載置される領域に、飛散抑制板３６Ａを厚み方向に貫通する複数の開口孔３９が、飛散抑制板３６Ａの長手方向に沿って設けられている。開口孔３９は、加湿器８から飛散抑制板３６Ａ上に滴下した水滴をドレン皿２６のドレン皿面凹部４５に回収するために設けられる。開口孔３９の開口形状は、細長形状が例示される。また、飛散抑制板３６上の水を開口孔３９に向かって集水しやすいように、開口孔３９の周辺領域は該開口孔３９に向かって低くなる凹部状に絞った絞り形状となっている。
【００５７】
また、実施の形態２にかかる飛散抑制板３６Ａは、加湿風路部１１に取り付けられる際には、図１３に示すようにエリミネーター３５をメンテナンス口２７側から加湿風路部１１へ挿入する際の案内ガイド４０として、耐水性の良好なパッキン材が長手方向に沿ってライン状に貼り付けられる。案内ガイド４０は、該案内ガイド４０と立ち上がり部３６ｃとの間にエリミネーター３５を挿入可能な距離だけ立ち上がり部３６ｃから離間して設けられる。
【００５８】
飛散抑制板３６Ａにおけるエリミネーター３５が載置される領域に開口孔３９を設けることで、加湿器８から下流側に飛散した水滴がエリミネーター３５の表面に沿って滴下し、飛散抑制板３６Ａの開口孔３９からドレン皿２６へ確実に回収することができる。また、エリミネーター３５に付着した水滴は、案内ガイド４０が堰の役目を果たすことによりエリミネーター３５の下流側の飛散抑制板３６Ａ上に滴下することがなく、開口孔３９からドレン皿２６へ確実に回収される。これにより、加湿器８から下流側に飛散した水滴が室内へ飛散することを防止できる。
【００５９】
このような構造とすることにより、飛散抑制板３６Ａが取り付けられていないとエリミネーター３５を取り付けられず、逆にエリミネーター３５のみを取り付けようとしても飛散抑制板３６Ａが取り付けられないとエリミネーター３５の位置が決まらない。これにより、加湿風路部１１のメンテナンス時の組み立て間違いを防止することができる。
【００６０】
また、エリミネーター３５を取り付ける際の案内ガイド４０を飛散抑制板３６Ａの長手方向に一直線に設けることで、加湿風路部１１内に複数個の加湿器８を飛散抑制板３６Ａの長手方向に沿って搭載した場合でも、エリミネーター３５を一体化、すなわち１枚物とすることができる。これにより、メンテナンス口２７から加湿風路部１１内にエリミネーター３５を挿入しやすくなり、エリミネーター３５の取り付けおよび取り外しの作業が容易になる。
【００６１】
飛散抑制板３６Ａは、実施の形態１の場合と同様に、飛散抑制板３６Ａの低位領域３６ａの外縁領域が右側面２６ｃの内壁の傾斜面における段差の上面３４ａと固定部材３７とにより挟み込まれて固定される。これにより、実施の形態１の場合と同様に、飛散抑制板３６Ａと右側面２６ｃの内壁との間を容易にかつ確実に密着させることができる。また、飛散抑制板３６Ａにおける立ち上がり部３６ｃ側の外縁領域が加湿器搭載レール部３１Ａの上面上に載置され、エリミネーター３５の自重により加湿器搭載レール部３１Ａの上面上に固定される。
【００６２】
この場合、加湿器搭載レール部３１Ａの上面における飛散抑制板３６Ａの開口孔３９に対応する領域に、該上面に連なるドレン皿面凹部４５の側面に通じる図示しない溝を設けておく。これにより、加湿器８からエリミネーター３５に飛散し、エリミネーター３５をつたってエリミネーター３５の下部の飛散抑制板３６Ａに滴下した水滴を、開口孔３９および該溝を介してドレン皿面凹部４５に回収することができる。
【００６３】
上述したように、実施の形態２においては、給気路１９における加湿器８の下流にエリミネーター３５を配置するため、加湿器８から下流側へ飛散した水滴を捕集することができ、加湿器８から飛散した水滴が室内へ飛散することを防止できる。
【００６４】
実施の形態３．
図１４は、実施の形態３にかかる飛散抑制部を示す斜視図である。図１５は、実施の形態３にかかる飛散抑制部が開かれた状態を示す側面図である。図１６は、実施の形態３にかかる飛散抑制部が折りたたまれた状態を示す側面図である。図１７は、実施の形態３にかかる空調換気装置の加湿風路部の要部断面図である。実施の形態３にかかる空調換気装置の基本的な構造は、実施の形態２にかかる空調換気装置と同じである。実施の形態３にかかる空調換気装置は、エリミネーターと飛散抑制部と加湿器搭載レール部３１Ａとの構造点が実施の形態２にかかる空調換気装置と異なる。
【００６５】
図１４に示すように、実施の形態３にかかる飛散抑制部であるエリミネーター３５Ａは、第１エリミネーター３５ａと第２エリミネーター３５ｂとの２枚のエリミネーターが連結具４１で連結されて構成されている。第１エリミネーター３５ａは、加湿器８からの水滴飛散を防止する目的で設けられる平板状のエリミネーターである。第１エリミネーター３５ａは、加湿器８の通風面積よりも大きい面積を有し、加湿風路部１１に配置された際に加湿器８の通風面と平行な面方向において加湿器８の通風面を包含する。第２エリミネーター３５ｂは、第１エリミネーター３５ａと同じ構造を有するとともにドレン皿面凹部４５の面積を覆う大きさを有し、加湿風路部１１に配置された際にドレン皿面凹部４５の全領域を覆う平板状のエリミネーターである。そして、第２エリミネーター３５ｂは、加湿風路部１１において給気流が通過する方向において加湿器搭載レール部３１Ａよりも下流側のドレン皿面２９を、加湿器搭載レール部３１Ａの延在方向の全幅において覆っている。
【００６６】
第１エリミネーター３５ａと第２エリミネーター３５ｂとの長手方向の両端、すなわち短辺には、第１エリミネーター３５ａと第２エリミネーター３５ｂとを連結する折りたたみ式の連結部材である金具４２が取り付けられている。金具４２は、第１エリミネーター３５ａと第２エリミネーター３５ｂとを、加湿器搭載レール部３１Ａの延在方向に垂直な面における断面形状をＬ字形状に保持できる。金具４２を折りたたむことにより、第１エリミネーター３５ａと第２エリミネーター３５ｂとが折りたたまれた状態とされる。また、金具４２を開く、すなわち突っ張らせることにより、第１エリミネーター３５ａと第２エリミネーター３５ｂとが開いた状態とされる。
【００６７】
エリミネーター３５Ａをメンテナンス口２７側から加湿風路部１１へ挿入するときには金具４２を折りたたむ。また、エリミネーター３５Ａが加湿風路部１１へ挿入された後に加湿風路部１１内で金具４２を突っ張らせる方向に金具４２の組み合わせ部分を押して金具４２を開くことで、第１エリミネーター３５ａと第２エリミネーター３５ｂとが開かれてＬ字形状となる。
【００６８】
加湿風路部１１へ挿入されたエリミネーター３５Ａの第１エリミネーター３５ａの上端部は、凹部２５ａにエリミネーター３５Ａの上端部が収納される。これにより、加湿風路部１１の給気路１９を流れる給気流によって第１エリミネーター３５ａがドレン皿２６の右側面２６ｃまで移動することが防止される。
【００６９】
また、第２エリミネーター３５ｂにおける第１エリミネーター３５ａと連結されない側の長辺の外縁領域は、右側面２６ｃの内壁の傾斜面における段差の上面３４ａと固定部材３７とにより挟み込まれて固定される。これにより、第２エリミネーター３５ｂと右側面２６ｃの内壁との間を容易にかつ確実に密着させることができる。また、第２エリミネーター３５ｂにおける第１エリミネーター３５ａと連結された長辺の外縁領域は、加湿器搭載レール部３１Ａの上面上に載置され、第２エリミネーター３５ｂ自体の自重および連結された第１エリミネーター３５ａの重量により加湿器搭載レール部３１Ａの上面上に固定される。
【００７０】
このように構成されたエリミネーター３５Ａは、エリミネーターの水滴飛散防止機能と飛散抑制部の機能とを有する。すなわち、第１エリミネーター３５ａは、上述した実施の形態２におけるエリミネーター３５と同じ機能を有し、該加湿器８から下流側へ飛散した水滴を捕集することができ、加湿器８から飛散した水滴が室内へ飛散することを防止できる。また、第２エリミネーター３５ｂは、上述した実施の形態１における飛散抑制板３６と同様の機能を有する。すなわち、第２エリミネーター３５ｂは、ドレン皿２６内に溜まったドレン水およびドレン皿２６内に溜まったドレン水が乾燥してドレン皿２６内の表面に析出した硬度成分による白粉片がドレン皿２６に流れる給気流によって巻き上がり、ドレン皿室内吹出口部３３から室内に飛散することを防止できる。すなわち、第２エリミネーター３５ｂは、飛散抑制部の機能を有する。
【００７１】
上述したように、実施の形態３においては、加湿器８からの水滴の飛散防止、およびドレン皿２６に溜まったドレン水およびドレン皿２６の表面に析出した硬度成分による白粉片の給気流による室内への飛散防止を、１つの部材で行うことができ、メンテナンス時の付け忘れを防止できる。
【００７２】
また、第１エリミネーター３５ａの通風面積を加湿器８の通風面積よりも大きな面積としていることで、第１エリミネーター３５ａに白粉片が付着しても、加湿器８の加湿能力および送風能力の低下を軽減することができる。
【符号の説明】
【００７３】
１  排気送風機、２  排気用通風路、３  熱交換器、４  開閉ダンパー、５  ケーシング、６  給気送風機、７  空調コイル、８  加湿器、９  室内吸込用通路、１０  室内側吸込口、１１  加湿風路部、１２  室内側吹出口、１３  室外側吹出口、１４  室外側吸込口、１５  室外吸込用通風路、１６  メンテナスカバー、１７  給気通風路、１８  排気路、１９  給気路、２０  バイパス風路、２１  給気通路、２２  排気通路、２３  外気温湿度センサ、２４  室内温湿度センサ、２５  加湿風路上部、２５ａ  凹部、２６  加湿風路下部、２６ａ  前面、２６ｂ  後面、２６ｃ  右側面、２６ｄ  左側面、２７  メンテナンス口、２８  排水溝、２９  ドレン皿面、３０  空調コイル搭載レール部、３１，３１Ａ，３１Ｂ  加湿器搭載レール部、３１ａ  段差の上面、３１ｂ  段差の上面、３１ｃ  他の段差の上面、３３  ドレン皿室内吹出口部、３４  段差、３４ａ  段差の上面、３５，３５Ａ  エリミネーター、３５ａ  第１エリミネーター、３５ｂ  第２エリミネーター、３６，３６Ａ  飛散抑制板、３６ａ  低位領域、３６ｂ  高位領域、３６ｃ  立ち上がり部、３６ｄ  折り曲げ部、３７  固定部材、３８，３９  開口孔、４０  案内ガイド、４１  連結具、４２  金具、４４  ドレン皿排水口、４５  ドレン皿面凹部、４８  落とし込み部、５１，５２，５３  矢印、１００  空調換気装置。
【図１】
2016023855.tif 000003
【図２】
2016023855.tif 000004
【図３】
2016023855.tif 000005
【図４】
2016023855.tif 000006
【図５】
2016023855.tif 000007
【図６】
2016023855.tif 000008
【図７】
2016023855.tif 000009
【図８】
2016023855.tif 000010
【図９】
2016023855.tif 000011
【図１０】
2016023855.tif 000012
【図１１】
2016023855.tif 000013
【図１２】
2016023855.tif 000014
【図１３】
2016023855.tif 000015
【図１４】
2016023855.tif 000016
【図１５】
2016023855.tif 000017
【図１６】
2016023855.tif 000018
【図１７】
2016023855.tif 000019